(57)【要約】【課題】メインシャーシとサブシャーシを備え、回転ヘッドシリンダにテープを所定の角度巻回して信号の記録再生を行う磁気記録再生装置において、メインシャーシを小型化することを目的とする。【解決手段】アイドラアームの回動軸１０ｂをアイドラギアの回転軸１０ｄよりも回転ヘッドシリンダ７側に設けることによって、メインシャーシ６上のアイドラアームの回動軸１０ｂの位置を上方側（回転ヘッドシリンダ７側）に設けることが可能となり、従来メインシャーシの最下端部付近に位置するアイドラアームの回動軸を、より回転ヘッドシリンダ方向に設けることができ、メインシャーシの手前端を大きく切り欠いて、メインシャーシを小型化することができ、その切り欠き部に他の構成部品を配置できるため小型の磁気記録再生装置が実現できる。【選択図】図２
2006024244.tif 000002
【特許請求の範囲】
【請求項１】
供給リールと巻取リールを内蔵したカセットよりテープ引き出し部材がテープを引き出した後、回転ヘッドシリンダにテープを所定の角度、巻回してテープの記録再生を行なう磁気記録再生装置であって、カセットが装着されるサブシャーシと、回転ヘッドシリンダを搭載し、かつ前記サブシャーシの回転ヘッドシリンダ方向への往復移動を案内するメインシャーシとを備え、
ピンチローラをメインシャーシもしくはサブシャーシに備え、ピンチローラとの間でテープを圧接し、テープを駆動するためのキャプスタンをメインシャーシに備え、供給リールと係合する供給リール台をサブシャーシに備え、巻取リールと係合する巻取リール台をサブシャーシに備え、
前記キャプスタンにより駆動され、キャプスタンの回転方向により前記供給リール台もしくは前記巻取リール台と係合し、前記供給リール台もしくは前記巻取リール台を回転駆動するアイドラギアを備え、
前記アイドラギアの回転軸がアイドラアーム上に設けられ、前記アイドラアームの回動軸が前記メインシャーシ上に設けられ、
前記アイドラアームの回動軸を、前記アイドラギアの回転軸よりも、回転ヘッドシリンダ側に設けることを特徴とする磁気記録再生装置。
【請求項２】
供給リール台と係合する供給側中間ギアと巻取リール台と係合する巻取側中間ギアをサブシャーシに備え、アイドラギアは前記供給側中間ギアを介して前記供給リール台を回転駆動し、アイドラギアは前記巻取側中間ギアを介して前記巻取リール台を回転駆動することを特徴とする請求項１記載の磁気記録再生装置。
【発明の詳細な説明】
【技術分野】
【０００１】
本発明は、回転ヘッドシリンダにテープを所定の角度巻回して、信号の記録再生を行う磁気記録再生装置に関するものである。
【背景技術】
【０００２】
近年、ビデオテープレコーダー等に用いられる磁気記録再生装置は、小型化が進んでいる。
【０００３】
以下、従来の磁気記録再生装置について説明する。
【０００４】
図５は、従来の磁気記録再生装置のサブシャーシユニットの平面図である。図５において、１はサブシャーシで、１１はＳリール台、１２はＴリール台で、それぞれサブシャーシ１上の軸１１ａ，１２ａ周りに回転自在に支持されている。１１ｂはＳリール台１１の外周部に設けられたギア部で、１２ｂはＴリール台１２の外周部に設けられたギア部である。Ｓリール台１１、Ｔリール台１２はカセット（図示せず）をサブシャーシ１に装着した際、カセットのリールハブと係合し、テープの巻き取りを行う。
【０００５】
図６は、従来の磁気記録再生装置のメインシャーシユニットの平面図である。２１はメインシャーシで、回転ヘッドシリンダ４１が設けられている。
【０００６】
図７は、アイドラ３５の平面図である。図７において、３５ａはアイドラアームで、回動軸３５ｂによりメインシャーシ２１上に回動自在に保持される。３５ｃはアイドラギアで、回転軸３５ｄによりアイドラアーム３５ａに回転自在に保持される。３５ｅはアイドラギア押圧部で、アイドラアーム３５ａと一体に構成されており、アイドラギア３５ｃを押圧しており、アイドラギア３５ｃの回転負荷トルクを発生させている。
【０００７】
図８は、カセット装着状態での平面図である。図９は、ローディング途中状態での平面図である。図１０は、記録再生装着状態での平面図である。図１１は、図７中の断面指示線Ｇ１における部分断面図である。図１２は、図９中の断面指示線Ｇ２における部分断面図である。図１３は、図１０中の断面指示線Ｇ２における部分断面図である。
【０００８】
カセット装着時に図８の状態であったメインシャーシ２１とサブシャーシ１は、カセット装着後、サブシャーシ１は回転ヘッドシリンダ４１の方向に駆動され、図９の状態を経て図１０の記録再生が可能な状態になる。
【０００９】
３１は、キャプスタンで、キャプスタン軸３１ａが植立されており、図示されないピンチローラによってテープをキャプスタン軸３１ａとの間に押圧して挟んで回転し、テープを駆動する。ドライブギア３２は、メインシャーシ２１上の回転軸３２ａにより軸支されている。３２ｂはドライブギア３２に構成された上部ギアで、３２ｃはドライブギア３２に構成された下部ギアである。３３はタイミングベルトで、ドライブギア３２の上部ギア３２ｂとキャプスタン３１に一体に構成されたキャプスタンギア３１ｂに張架されている。３４はセンターギアで、メインシャーシ２１上の回転軸３４ａにより軸支されている。３４ｂはセンターギア３４に構成された上部ギアで、３４ｃはセンターギア３４に構成された下部ギアである。ドライブギア３２の下部ギア３２ｃとセンターギア３４の下部ギア３４ｃは、噛み合っている。アイドラ３５の回動軸３５ｂは、メインシャーシ２１に設けられた回転軸３４ａのボス部３４ｆに挿入され、カットワッシャー３５ｆによって保持されている。センターギア３４の上部ギア３４ａは、アイドラギア３５ｃと噛み合っている。メインシャーシ２１に設けられた回転軸３４ａは、サブシャーシ１に設けられた長孔１ｃを貫通している（図１１、１２、１３参照）。
【００１０】
このようにしてキャプスタン３１の回転は、タイミングベルト３３、ドライブギア３２、センターギア３４を介してアイドラ３５に伝わり、アイドラ３５は、キャプスタンの回転方向によって、Ｓリール台１１の外周に設けられたギア部１１ｂもしくは、Ｔリール台１２の外周に設けられたギア部１２ｂと噛み合って、Ｓリール台１１もしくはＴリール台１２を回転駆動する。
【特許文献１】特開平１１−２７３１９４号公報
【発明の開示】
【発明が解決しようとする課題】
【００１１】
しかしながら従来の構成では、装置本体の小型を目的として、メインシャーシ２１は出来る限り小さくしたいのであるが、メインシャーシ２１の手前端には、アイドラアーム３５ａの回動軸３５ｂが位置しているため、それ以上小さくすることは出来ないという問題点を有していた。
【００１２】
本発明は上記従来の問題点を解決するもので、アイドラアームの回動軸をアイドラギアの回転軸よりも回転ヘッドシリンダ側に設けることにより、従来メインシャーシの最下端部に位置するアイドラアームの回動軸を、回転ヘッドシリンダ方向に設けることにより、メインシャーシの手前端を大きく切り欠いて、メインシャーシを小型化することができる磁気記録再生装置を提供することを目的とする。
【課題を解決するための手段】
【００１３】
この目的を達成するために、本発明の磁気記録再生装置は、供給リールと巻取リールを内蔵したカセットよりテープ引き出し部材がテープを引き出した後、回転ヘッドシリンダにテープを所定の角度、巻回してテープの記録再生を行なう磁気記録再生装置であって、カセットが装着されるサブシャーシと、回転ヘッドシリンダを搭載し、かつ前記サブシャーシの回転ヘッドシリンダ方向への往復移動を案内するメインシャーシとを備え、
ピンチローラをメインシャーシもしくはサブシャーシに備え、ピンチローラとの間でテープを圧接し、テープを駆動するためのキャプスタンをメインシャーシに備え、供給リールと係合する供給リール台をサブシャーシに備え、巻取リールと係合する巻取リール台をサブシャーシに備え、
前記キャプスタンにより駆動され、キャプスタンの回転方向により前記供給リール台もしくは前記巻取リール台と係合し、前記供給リール台もしくは前記巻取リール台を回転駆動するアイドラギアを備え、
前記アイドラギアの回転軸がアイドラアーム上に設けられ、前記アイドラアームの回動軸が前記メインシャーシ上に設けられ、
前記アイドラアームの回動軸を、前記アイドラギアの回転軸よりも、回転ヘッドシリンダ側に設けるという構成を有している。
【００１４】
この構成によって、メインシャーシを小型化し、記録再生状態にメインシャーシの手前端の切り欠き部に他の構成部品を配置できる小型の磁気記録再生装置が得られる。
【発明の効果】
【００１５】
以上のように本発明は、サブシャーシとメインシャーシを有する磁気記録再生装置においてアイドラアームの回動軸をアイドラギアの回転軸よりも回転ヘッドシリンダ側に設けることによって、メインシャーシ上のアイドラアームの回動軸の位置を上方側（回転ヘッドシリンダ側）に設けることが可能となり、従来メインシャーシの最下端部付近に位置するアイドラアームの回動軸を、より回転ヘッドシリンダ方向に設けることができ、メインシャーシの手前端を大きく切り欠いて、メインシャーシを小型化することができ、その切り欠き部に他の構成部品を配置できるため、小型の磁気記録再生装置が実現できるという優れた効果が得られる。
【発明を実施するための最良の形態】
【００１６】
本発明の請求項１に記載の発明は、供給リールと巻取リールを内蔵したカセットよりテープ引き出し部材がテープを引き出した後、回転ヘッドシリンダにテープを所定の角度、巻回してテープの記録再生を行なう磁気記録再生装置であって、カセットが装着されるサブシャーシと、回転ヘッドシリンダを搭載し、かつ前記サブシャーシの回転ヘッドシリンダ方向への往復移動を案内するメインシャーシとを備え、
ピンチローラをメインシャーシもしくはサブシャーシに備え、ピンチローラとの間でテープを圧接し、テープを駆動するためのキャプスタンをメインシャーシに備え、供給リールと係合する供給リール台をサブシャーシに備え、巻取リールと係合する巻取リール台をサブシャーシに備え、
前記キャプスタンにより駆動され、キャプスタンの回転方向により前記供給リール台もしくは前記巻取リール台と係合し、前記供給リール台もしくは前記巻取リール台を回転駆動するアイドラギアを備え、
前記アイドラギアの回転軸がアイドラアーム上に設けられ、前記アイドラアームの回動軸が前記メインシャーシ上に設けられ、
前記アイドラアームの回動軸を、前記アイドラギアの回転軸よりも、回転ヘッドシリンダ側に設けることを特徴とするものであり、供給リール台と巻取リール台を駆動するために必要なアイドラの構成上、必須であるメインシャーシ上のアイドラアームの回動軸をアイドラギアの回転軸よりも回転ヘッドシリンダ側に設けることにより、従来メインシャーシの最下端部付近に位置するアイドラアームの回動軸を、より回転ヘッドシリンダ方向に設けることにより、メインシャーシの手前端を大きく切り欠いて、メインシャーシを小型化することができ、その切り欠き部に他の構成部品を配置できるため小型の磁気記録再生装置が得られるという作用を有する。
【００１７】
本発明の請求項２に記載の発明は、供給リール台と係合する供給側中間ギアと巻取リール台と係合する巻取側中間ギアをサブシャーシに備え、アイドラギアは前記供給側中間ギアを介して前記供給リール台を回転駆動し、アイドラギアは前記巻取側中間ギアを介して前記巻取リール台を回転駆動することを特徴とするものであり、アイドラギアが、供給側中間ギアもしくは巻取側中間ギアを介して、供給リール台もしくは巻取側リール台を回転駆動することにより、キャプスタンがテープを供給側リール台方向に送り出したときには、アイドラギアが供給側リール台をテープを巻き取る方向に回転駆動し、キャプスタンがテープを巻取側リール台方向に送り出したときには、アイドラギアが巻取側リール台をテープを巻き取る方向に回転駆動するという作用を有する。
【００１８】
以下、本発明の実施の形態について、図１から図４を用いて説明する。
【００１９】
（実施の形態１）
本発明の磁気記録再生装置は、シャーシがメインシャーシと、サブシャーシの2枚構成となっている。
【００２０】
図１は、本発明の磁気記録再生装置のカセット装着状態での平面図である。図２は、本発明の磁気記録再生装置の記録再生装着状態での平面図である。図３は、アイドラの平面図である。図４は、図２中の断面指示線Ａにおける部分断面図である。
【００２１】
図１、２、４において、１はサブシャーシで、２はＳリール台、３はＴリール台で、それぞれサブシャーシ１上の軸２ａ，３ａ周りに回転自在に支持されている。２ｂはＳリール台２の外周部に設けられたギア部で、３ｂはＴリール台３の外周部に設けられたギア部である。Ｓリール台２、Ｔリール台３はカセット（図示せず）をサブシャーシ１に装着した際、カセットのリールハブと係合し、テープの巻き取りを行う。４はＳ中間ギアで、サブシャーシ１上に回転自在に設けられており、Ｓリール台２と歯合している。５はＴ中間ギアで、サブシャーシ１上に回転自在に設けられており、Ｔリール台３と歯合している。６はメインシャーシで、回転ヘッドシリンダ７が設けられている。８は、キャプスタンで、メインシャーシ６に設けられている。キャプスタン８にはキャプスタン軸８ａが植立されており、図示されないピンチローラによってテープをキャプスタン軸８ａとの間に押圧して挟んで回転し、テープを駆動する。ドライブギア９は、メインシャーシ６上の回転軸９ａにより軸支されている。
【００２２】
図３において、１０はアイドラユニットの平面図である。１０ａはアイドラアームで、回動軸１０ｂによりメインシャーシ６上に回動自在に保持される（図１，２，４参照）。１０ｃはアイドラギアで、回転軸１０ｄによりアイドラアーム１０ａに回転自在に保持されている。１０ｅはアイドラギア押圧部で、アイドラアーム１０ａと一体に構成されており、アイドラギア１０ｃを押圧しており、アイドラギア１０ｃに回転負荷トルクを発生させている。
【００２３】
カセット装着時に図１の状態であったメインシャーシ６とサブシャーシ１は、カセット装着後、サブシャーシ１は回転ヘッドシリンダ７の方向に駆動され、図２に示すようにテープに記録再生が可能な状態になる。ここで、サブシャーシ１の駆動手段やカセット内のテープを引き出して回転ヘッドシリンダ７に所定の角度テープを巻回するためのテープローディング手段等は、前出の従来の磁気記録再生装置と同様の構成のため省略する。
【００２４】
図１，２，４において、９ｂはドライブギア９に構成された上部ギアで、９ｃはドライブギア９に構成された下部ギアである。１１はタイミングベルトで、ドライブギア９の下部ギア９ｃとキャプスタン８に一体に構成されたキャプスタンギア８ｂに張架されている。アイドラアーム１０の回動軸１０ｂは、メインシャーシ６に設けられた回転軸９ａのボス部６ａに挿入され、カットワッシャー１２によって保持されている。ドライブギア９の上部ギア９ｂは、アイドラギア１０ｃと噛み合っている。メインシャーシ６に設けられた回転軸９ａは、サブシャーシ１に設けられた長孔１ａを貫通している。
【００２５】
このようにしてキャプスタン８の回転は、タイミングベルト１１によってドライブギア９を介してアイドラギア１０ｃに伝わる。アイドラアーム１０ａは、キャプスタンの回転方向によって、アイドラギア押圧部１０ｅによってアイドラギア１０ｃに生じる回転負荷トルクによって左右に回動し、Ｓ中間ギア４もしくはＴ中間ギア５と噛み合って、Ｓ中間ギア４もしくはＴ中間ギア５を介してＳリール台１１もしくはＴリール台１２を回転駆動する。
【００２６】
図１，２においてキャプスタンが反時計方向に回転し、テープをＴリール台側（右方向）に送り出す時は、タイミングベルト１１によってドライブギア９は反時計方向に回転し、アイドラギア押圧部１０ｅによってアイドラギア１０ｃに生じる回転負荷トルクによってアイドラアーム１０ａは右方向（半時計方向）に回動し、Ｔ中間ギア５と噛み合って、Ｔ中間ギア５を介してＴリール台３を時計方向に回転駆動し、キャプスタンによって送り出されたテープを巻き取る。キャプスタンが時計方向に回転し、テープをＳリール台側（左方向）に送り出す時は、タイミングベルト１１によってドライブギア９は時計方向に回転し、アイドラギア押圧部１０ｅによってアイドラギア１０ｃに生じる回転負荷トルクによってアイドラアーム１０ａは左方向（時計方向）に回動し、Ｓ中間ギア４と噛み合って、Ｓ中間ギア４を介してＳリール台２を時計方向に回転駆動し、キャプスタンによって送り出されたテープを巻き取る。
【００２７】
この時、アイドラアームの回動軸１０ｂはアイドラギアの回転軸１０ｄよりも回転ヘッドシリンダ７側に設けられている。従来のサブシャーシとメインシャーシを有する磁気記録再生装置では、アイドラギアの回転軸がアイドラアームの回動軸よりも回転ヘッドシリンダ７側に設けられており、アイドラギアは直接、Ｓリール台もしくはＴリール台に係合していることに注意されたい。
【００２８】
以上のようにアイドラアームの回動軸１０ｂをアイドラギアの回転軸１０ｄよりも回転ヘッドシリンダ７側に設けることによって、メインシャーシ６上のアイドラアームの回動軸１０ｂの位置を上方側（回転ヘッドシリンダ７側）に設けることが可能となり、従来メインシャーシの最下端部付近に位置するアイドラアームの回動軸を、より回転ヘッドシリンダ方向に設けることにより、メインシャーシの手前端を大きく切り欠いて、メインシャーシを小型化することができ、その切り欠き部に他の構成部品を配置できる。
【００２９】
図２のように、本実施の形態では、メインシャーシ６の下端部６ａはサブシャーシ１の下端部１ｂよりもかなり回転ヘッドシリンダ７側にあり、メインシャーシ６が小型になっていることがわかる。
【００３０】
以上のように本実施の形態１によれば、アイドラアームの回動軸１０ｂをアイドラギアの回転軸１０ｄよりも回転ヘッドシリンダ７側に設けることによって、メインシャーシ６上のアイドラアームの回動軸１０ｂの位置を上方側（回転ヘッドシリンダ７側）に設けることが可能となり、従来メインシャーシの最下端部付近に位置するアイドラアームの回動軸を、より回転ヘッドシリンダ方向に設けることができ、メインシャーシの手前端を大きく切り欠いて、メインシャーシを小型化することができ、その切り欠き部に他の構成部品を配置できるため小型の磁気記録再生装置が実現できる。
【００３１】
なお、以上の説明では、アイドラギア押圧部１０ｅによってアイドラギア１０ｃに生じる回転負荷トルクによってアイドラアーム１０ａは左右に回動するとしたが、全く別の駆動手段によって、アイドラアームを左右に移動させてもよい。
【００３２】
また、タイミングベルトによって、キャプスタンがドライブギアを介してアイドラギアを駆動するとしたが、タイミングベルトを介さずギア系列を設ける等の別の回転力伝達手段によってキャプスタンがアイドラギアを駆動してもよい。
【産業上の利用可能性】
【００３３】
本発明の磁気記録再生装置は、ビデオテープレコーダーなどのアイドラを用いたテープ移送メカニズムに利用して有効なものであり、特に小型化をする上で非常に有用である。
【図面の簡単な説明】
【００３４】
【図１】本発明の実施の形態における磁気記録再生装置のカセット装着状態での平面図
【図２】本発明の実施の形態における磁気記録再生装置の記録再生装着状態での平面図
【図３】本発明の実施の形態におけるアイドラの平面図
【図４】本発明の実施の形態における磁気記録再生装置の図２中の断面指示線Ａにおける断面図
【図５】従来の磁気記録再生装置のサブシャーシユニットの平面図
【図６】従来の磁気記録再生装置のメインシャーシユニットの平面図
【図７】従来のアイドラの平面図
【図８】従来の磁気記録再生装置のカセット装着状態での平面図
【図９】従来の磁気記録再生装置のローディング途中状態での平面図
【図１０】従来の磁気記録再生装置の記録再生装着状態での平面図
【図１１】従来の磁気記録再生装置の図７中の断面指示線Ｇ１における部分断面図
【図１２】従来の磁気記録再生装置の図８中の断面指示線Ｇ２における部分断面図
【図１３】従来の磁気記録再生装置の図９中の断面指示線Ｇ２における部分断面図
【符号の説明】
【００３５】
１    サブシャーシ
１ｂ    サブシャーシの手前端
２    Ｓリール台
３    Ｔリール台
４    Ｓ中間ギア
５    Ｔ中間ギア
６    メインシャーシ
６ａ    メインシャーシの手前端
７    回転ヘッドシリンダ
８    キャプスタン
９    ドライブギア
１０    アイドラユニット
１０ａ    アイドラアーム
１０ｂ    アイドラアームの回動軸
１０ｃ    アイドラギア
１０ｄ    アイドラギアの回転軸
１１    タイミングベルト
【図１】
2006024244.tif 000003
【図２】
2006024244.tif 000004
【図３】
2006024244.tif 000005
【図４】
2006024244.tif 000006
【図５】
2006024244.tif 000007
【図６】
2006024244.tif 000008
【図７】
2006024244.tif 000009
【図８】
2006024244.tif 000010
【図９】
2006024244.tif 000011
【図１０】
2006024244.tif 000012
【図１１】
2006024244.tif 000013
【図１２】
2006024244.tif 000014
【図１３】
2006024244.tif 000015